(57)【要約】  本発明は、第１雄部を収容するための第１収容領域（１５）を備えたスナップファスナー雌部に関するものである。本発明によれば、スナップファスナー雌部は、第２雄部を収容するための第２収容領域（１６）も設けられている。
2008038743.tif 000002
【特許請求の範囲】
【請求項１】
第１雄部（４０）を収容するための第１収容領域（１５）を備えたスナップファスナーの雌部であって、当該雌部は、第２雄部（４６，４７）を収容するための第２収容領域（１６）も更に備えていることを特徴とする前記雌部。
【請求項２】
第１収容領域（１５）の内径（ｒ）は、第２収容領域（１６）の内径（Ｒ）と異なることを特徴とする請求の範囲第１項記載の雌部。
【請求項３】
第１収容領域（１５）は、雄部（４０，４６，４７）が雌部に挿入される方向（Ｄ）に対して直交するその内径（ｒ，Ｒ）において、第２収容領域（１６）とは異なることを特徴とする請求の範囲第１項又は第２項記載の雌部。
【請求項４】
第１及び第２収容領域（１５，１６）は、互いに対して同心円状であることを特徴とする請求の範囲第１項乃至第３項記載の雌部。
【請求項５】
第２収容領域（１６）は、第１収容領域（１５）を囲むように構成されていることを特徴とする請求の範囲第１項乃至第４項記載の雌部。
【請求項６】
第２収容領域（１６）の内側壁部（１９）は、第１収容領域（１５）の外側壁部（１９）と少なくともその一部において同一であることを特徴とする請求の範囲第１項乃至第５項記載の雌部。
【請求項７】
第２収容領域（１６）は、リング状であることを特徴とする請求の範囲第１項乃至第６項記載の雌部。
【発明の詳細な説明】
【技術分野】
【０００１】
本発明は、第１雌部のための第１収容領域を備えたスナップファスナーの雌部に関するものである。これに関連して、収容領域とは、雄部が収容領域に収容される際に雄部が雌部と係止するために形成されている領域であると理解されている。従って、雄部の雌部の収容領域内への収容は、雄部と雌部という二つの部分の係合運動も伴うので、収容領域のことを係合領域と呼ぶことも出来るのである。
【背景技術】
【０００２】
上記の種類の雌部は、先行技術から周知である。一例としては、雌部が、ジャケット又はコートに装着され、これに対応する雄部が、当該ジャケット又はコートの一部であるフードに装着されているような例もある。もう一つの例としては、雌部を備えたバッグと、当該バッグを閉鎖する機能をおこなうカバーであって、雄部を装着したものも知られている。更に、色々の目的のためにスナップファスナーが使用されている。
所望の目的によって、スナップファスナーには色々な要求がなされる。この要求とは、スナップファスナーを開口するための力そして／又はこれを閉鎖するための力などである。これらの要求に合致するために、雄部は、色々な構造で作られることがある。即ち、雄部は、夫々の目的に合致するような構造になっている。通常のスナップファスナーの場合、雌部も色々な構造で作る必要があり、特に、雌部を雄部に合致するような構造にしなければならない。これはかなりの労力を必要とする。
本発明の目的は、色々な用途に適用することが出来るように上記の種類の雌部を開発することである。
【発明の開示】
【０００３】
本発明に拠れば、上記の目的は、第１雄部を収容するための第１収容領域を備えたスナップファスナーの雌部であって、当該雌部は、第２雄部を収容するための第２収容領域も更に備えていることを特徴とする前記雌部によって達成されるのである。
換言すれば、本発明による雌部は、少なくとも２つの別個の雄部と嵌合する事が出来、これによって、雌部は、あたかも単一の雄部とのみ噛合する事が出来るかのようにより多くの目的のために適しているのである。二つの収容領域は、互いに対して何らかの相対的な位置関係にあっても良い、特に、二つの収容領域は、互いに対してオーバーラップした状態であって一方を囲んだ状態でも良い。二つの領域に一つの雄部が嵌入されていてもよい。
本発明によれば、二つの収容領域は、異なる構造の雄部と協働するのに適していることが保証される限り、互いに異なっていてもよい。しかし、本発明の好ましい実施例によれば、第１の収容領域は、その内部寸法、好ましくは、挿入方向に対して横方向における内部寸法に関して、第２の収容領域と異なっている。
特に、二つの収容領域が挿入方向に対して横方向の内部寸法において異なっている場合には、第１収容領域と第２収容領域が、互いに対して同心円状であることが更に好ましい。
このような実施例の結果、全体として非常にコンパクトなデザインを作り上げることが出来る。
本発明の更なる好ましい実施例によれば、第２収容領域は、第１収容領域を囲むように設けられている。
第２収容領域の内壁を第１収容領域の外壁と少なくとも一部同一に形成すれば、非常に簡素な実施例を達成することができる。
更に、第２収容領域は、リング状であることが好ましい。この構成に拠れば、第１収容領域を第２収容領域内に配することが可能となる。
本発明の更に好ましい実施例によれば、雄部に面する側にキャップが設けられる。これによって、キャップにコーティングすることによって、又は、キャップを打刻することによって、装飾を施すことが可能となる。
キャップに加えて、又は、キャップに換えて、外側を被覆する手段として、カバーを設けることも出来る。この構造によって、より高い分離強度を取得することが出来る。
カバーは、その底部が開口したものであっても、閉鎖したものであってもよい。
本発明によれば、キャップそして／又はカバーは、金属製であることが好ましい。
キャップやカバーを支持材料に固定するために、柱部を備えたキャップそして／又は２爪のキャップを使用することが出来る。
本発明によれば、雌部は、第１収容領域と第２収容領域を備えた本体部を有することが好ましい。この構造は、製造コストの面で特に効果的である。
更に、本発明によれば、本体部は、プラスチック材料で作られていることが好ましい。
本発明の実施例について、以下に列記する図面を参照にして、以下に詳細に説明する。
【図面の簡単な説明】
【０００４】
第１図は、本発明の一つの実施例による雌部の本体部の断面図である。
第２図乃至第４図は、本発明による雌部の断面図であり、夫々の図面が夫々異なる実施例を示している。
第５図乃至第７図は、夫々、第２図乃至第４図に示された雌部を備えたスナップファスナーの分解した状態を示す部分断面図である。
第８図乃至第１０図は、第５図乃至第７図に示されたスナップファスナーの断面図であって、組み立てられてはいるが、開口した状態にあるスナップファスナーを示している。
第１１図は、第８図と類似の図面であるが、閉鎖された状態を示している。
第１２図は、第１１図と類似の図面であるが、第５図及び第８図に示された雌部と第６図及び第９図に示された雄部とを備えている。
第１３図は、第９図に類似の図面であるが、閉鎖された状態を示している。
第１４図は、第１３図と類似の図面であるが、第６図と第９図に示された雌部と第５図と第８図に示された雄部とを備えている。
第１５図は、第１４図と類似の図面であるが、第７図と第１０図に示された雌部と第５図と第８図に示された雄部とを備えている。
第１６図は、第１５図と類似の図面であるが、第６図及び第９図に示された雄部を備えている。
【発明を実施するための最良の形態】
【０００５】
第１図は、本発明の一つの実施例によるスナップファスナーの雌部の中核を構成する本体部１０を示している。当該雌部の本体部１０は、プラスチック材料で作られ、本体部１０の裏側に配され、以下に詳細に説明するように、キャップ３４，３６の柱部又はキャップ３８の一対の爪部が挿入することが出来る貫通孔１２が形成された基部１１と、当該本体部１０の正面側に配され、雄部と挿入することができるようになっている嵌合部１３とからなる。嵌合部１３は、その正面側において開口されており、これによって、”Ｄ”で示された方向に雄部の嵌合凸部が挿入された時に、この嵌合凸部を収容するために嵌合凹部１４が形成されている。嵌合凹部１４は、その底に貫通孔１２を形成しており、これによって、嵌合凹部１４は、貫通孔１２と連通している。嵌合凹部１４と貫通孔１２は共に円形を呈し、本体部１０の軸に対して互いに同心円状に配置されている。
嵌合凹部１４は、異なるタイプの雄部４０上に設けられた異なる形状の嵌合凸部４２，４３，４３’を収容するようになっている第１収容領域即ち内側収容領域１５と第２収容領域即ち外側収容領域１６とを含んでいる。具体的に言うと、嵌合凹部１４は、当該嵌合凹部１４の半径方向の中心に配された内側収容領域１５と、当該内側収容領域１５の円周を囲むように配されたリング状の外側収容領域１６とからなる。嵌合凹部１４は、内径”ｒ”を有する第１円筒壁部１９と、当該内径”ｒ”よりも大きい内径”Ｒ”を有する第２円筒壁部２０とを有している。内側収容領域１５は、第１円筒壁部１９の内周面によって画成された空間であって、外側収容領域１６は、第１円筒壁部１９の外周面と第２円筒壁部２０の内周面との間に画成された空間である。このことから、第１円筒壁部１９は、内側収容領域１５と外側収容領域１６との間に配された境界壁部を構成するということ及び、第１円筒壁部１９が内側収容領域１５のための外側壁部と外側収容領域１６のための内側壁部の両方を構成するということになる。
また、雌部の嵌合部１３は、雄部４０，４６，４７が嵌合凹部１４の内側及び外側収容領域１５，１６との係合から外れることを防止するために、第１及び第２円筒壁部１９，２０に一対の環状リブ１７，１８を形成している。これらの環状リブ１７，１８は、第１及び第２円筒壁部１９，２０の上縁部から嵌合凹部１４の中心へ向けて突出するように、夫々第１及び第２円筒壁部１９，２０の上縁部に設けられている。換言すると、第１円筒壁部１９の上縁部から突出している環状リブ１７は、内側収容領域１５の内方へ延びており、第２円筒壁部２０の上縁部から突出している環状リブ１８は、外側収容領域１６内に延びている。
第２図に示された実施例においては、金属製のカバー２１が雌部の本体部１０の周囲に取り付けられおり、当該カバー２１は、本体部１０の裏側に面している底部２２と、本体部１０の側部に面している側部２３と、本体部１０の正面側に面している頂部２４とからなっている。カバー２１の頂部２４は、当該頂部２４が本体部１０の正面に形成された嵌合凹部１４に面する位置に当該頂部を貫通して孔部２５を形成している。雄部は、当該孔部２５を通して雌部の嵌合凹部１４に挿入することが出来る。カバー２１の底部２２は、本体部１０の裏側に形成された貫通孔１２と面しており、貫通孔１２を閉鎖している。
第３図に示された実施例においては、本体部１０に取り付けられた金属製のカバー２６は、第２図に示された金属製カバー２１と同様に、側部２３、頂部２４、孔部２５とともに本体部１０の裏側に面する底部２７を有している。しかし、この金属性カバー２６は、金属カバー２１と次の点で異なる。即ち、カバー２６の底部２７は、本体部１０の貫通孔１２と位置的に合致して形成された孔部２８を有している。従って、キャップ３４，３６の柱部又はキャップ３８の二つの爪は、カバー２６の孔部２８を通して貫通孔１２に挿入することができる。
第４図に示された実施例においては、本体部１０に取り付けられた金属製のカバー２９は、第２図及び第３図に示された金属カバー２１、２６と同様、頂部２４及び孔部２５とともに側部３０を有している。しかし、この金属製カバー２９は、次の点で金属カバー２１，２６と異なる。即ち、第１に、金属カバー２９は、本体部１０の裏側と対面する底部が無いという点と、第２に、金属カバー２９の側部３０は、嵌合部１３の側部のみに対面しており、基部１１の側部には対面していないという点である。
第５図及び第１０図は、少なくとも３つの別個の方法でプラスチック本体部１０を生地片３２に取り付けることが出来ることを示している。即ち、この目的のため、一つの柱部を備えたキャップ３４，３６又は、２爪のキャップ３８のいずれかを使用することが出来るのである。第５図及び第８図に拠れば、閉鎖底部２２を備えたカバー２１が本体部１０に取り付けられる場合には、特に、２爪のキャップ３８を使用することが薦められる。２爪のキャップ３８を使用することによって、キャップ３８の二つの爪が金属カバー２１の閉鎖底部２２を突き刺して塑性変形して、これによって、本体部１０とキャップ３８を連結するための最も高い耐分離強度即ち引っ張り強さを得ることが出来るのである。開口底部２８を備えたカバー２６によって被覆された本体部１０とともに組み合わせて一つの柱部を備えたキャップ３４，３６を使用した時にもかなり高い耐分離強度即ち引っ張り強さを得る事が出来るのである。このようにして、本体部１０とキャップ３４，３６，３８とが互いに連結することが出来るので、本体部１０とキャップ部３４，３６，３８との間に生地片３２を挟持することができる。
第６図，７図，９図及び１０図に示された実施例においては、耐水性構造にすることが出来る。更にまた、３つの実施例全てにおいて、カバー２１，２６，２９及びキャップ３８，３４，３６は、打刻印を設けることが出来、当該打刻印は、装飾手段として機能するのである。更に、カバー及びキャップを亜鉛メッキ処理そして／又はニス塗装を施すことも出来る。
第５図乃至第１０図において、３つの別個の雄部４０，４６及び４７が示されており、これらを生地片５２に取り付けるために、色々なキャップを使用することが出来る、即ち、一本の柱部を備えたキャップ４９，５０や２爪のキャップ５１を雄部４０，４６，４７に連結することができ、これによって、雄部とキャップとの間に生地片５２を挟持することが出来るのである。
雄部４０，４６及び４７の夫々は、円形状の基部４１と、当該基部の正面の中心に突出するように形成された嵌合凸部４２，４３とからなる。嵌合凸部４２，４３は、その形状において夫々異なっている。
雄部４０の嵌合凸部４２は、実質的に円筒形状であり、Ｓ−スプリングシステムによって形成されている。嵌合凸部４２は、その終端部がその半径方向に即ち嵌合凸部４２が突出する方向に対して直交する方向に膨大し、大径の膨大頭部４４を設けている。嵌合凸部４２は、その基端近傍に首部４５を形成している。首部４５は、膨大頭部４４よりも直径において小さい。
他方、雄部４６，４７の嵌合凸部４３，４３’は、リングスプリングシステムに従って形成されている。嵌合凸部４３，４３’の夫々は、係合凸部４３，４３’が突出する方向に延びている係合凸部４３，４３’の軸部の周りでリング状をなしている。雄部４６のリング状嵌合凸部４３は、その終端縁部が膨大され、膨大部４８を設けており、他方、雄部４７のリング状嵌合凸部４３’は膨大部を有していない。
特に、第１１図と第１２図とを組合して考えればわかるように、本体部１０は、二つの異なる雄部、即ち、雄部４０と４６の双方と協力することが出来る。なぜならば、本体部１０に設けられた嵌合凹部１４が、雄部４０と協力するための内側収容領域１５と、雄部４６と協力するための外側収容領域１６とから成っているからである。
まず、本体部１０と雄部４０との協力について以下に説明する。雄部４０の嵌合凸部４２を本体部１０の嵌合凹部１４の内側収容領域１５に挿入しようとした時、係合凸部４２の膨大頭部４４が、嵌合凹部１４の第１円筒壁部１９に設けたリブ１７と接し、第１円筒壁部１９を拡径させる方向に弾性変形させる。膨大頭部４４がリブ１７を乗り越えて、内側収容領域１５の深部へ入り込むと、第１円筒壁部１９は、元の位置へ弾性復帰して、リブ１７が嵌合凸部４２の首部４５と接する。これにより、膨大頭部４４がリブ１７に係止され、嵌合凸部４２が嵌合凹部１４の内側収容領域１５から抜け出るのが防止される。
次いで、本体部１０と雄部４６との協力について以下に説明する。雄部４６の嵌合凸部４３を本体部１０の嵌合凹部１４の外側収容領域１６へ挿入しようとした時、嵌合凸部４３の膨大部４８が、嵌合凹部１４の第２円筒壁部２０に設けたリブ１８と接し、第２円筒壁部２０を拡径させる方向又は嵌合凸部４３を縮径させる方向に弾性変形させる。膨大部４８がリブ１８を乗り越えて、外側収容領域１６の深部へ入り込むと、第２円筒壁部２０又は嵌合凸部４３が元の形状に弾性復帰する。これにより、膨大部４８がリブ１８に係止され、嵌合凸部４３が嵌合凹部１４の外側収容領域１６から抜け出ることが防止される。
同様に、第１３図と第１４図、及び第１５図と第１６図も、同一の本体部１０が別個の雄部４０，４６と協力するのに適していることを示している。
従って、たった一つの本体部１０でもって、即ち、例えば、一方において雄部４０と他方において雄部４６と組合わせることによって別個の挟持力を達成することが可能なのである。
【産業上の利用可能性】
【０００６】
本発明によれば、色々なタイプの雄部と協力することが出来、これによって、色々な用途に適用することが出来るスナップファスナーの雌部が取得されたのである。
以上の発明の詳細な説明の欄には色々な具体例が記載されているけれども、これらの具体例は、本発明の範囲を限定するように解釈すべきではなく、本発明の好ましい実施例を単にいくつか提供していると解釈すべきである。
従って、本発明の範囲は、ここに記載された実施例によって判断するのではなく、むしろ、請求の範囲の記載及びその均等物によって判断すべきである。
【図１】
2008038743.tif 000003
【図２】
2008038743.tif 000004
【図３】
2008038743.tif 000005
【図４】
2008038743.tif 000006
【図５】
2008038743.tif 000007
【図６】
2008038743.tif 000008
【図７】
2008038743.tif 000009
【図８】
2008038743.tif 000010
【図９】
2008038743.tif 000011
【図１０】
2008038743.tif 000012
【図１１】
2008038743.tif 000013
【図１２】
2008038743.tif 000014
【図１３】
2008038743.tif 000015
【図１４】
2008038743.tif 000016
【図１５】
2008038743.tif 000017
【図１６】
2008038743.tif 000018
【国際調査報告】
2008038743.tif 000019
2008038743.tif 000020